(57)【要約】  【課題】複数の電磁アクチュエータを少ない固定手段で地板に取り付け、小型化と低コスト化を可能にしたカメラ用羽根駆動装置を提供すること。  【解決手段】合成樹脂製の地板１の羽根室外の面には複雑な形状の窪みが形成されていて、開口部１ａを囲むようにして、二つの電磁アクチュエータが取り付けられている。先ず、回転子６，７は、地板１の軸１ｐ，１ｑに回転可能に取り付けられ、出力ピン６ｃ，７ｃを、羽根室内で絞り羽根４とシャッタ羽根５に連結させている。合成樹脂製のカバー枠８，９は、板状部８ａ，９ａと、コイル１０，１１を巻回したボビン部８ｂ，９ｂとからなっていて、ボビン部８ｂ，９ｂの中空部に、ヨーク１２，１３の一方の脚部を挿入したあと、板状部８ａ，９ａの先端部を相手側に取り付けられているヨーク１３，１２の一部を覆うように重ね、ねじ１４，１５によって地板１に固定されている。【選択図】  図１
2008257067.tif 000002
【特許請求の範囲】
【請求項１】
被写体光路用の開口部を有している地板と、被写体光路用の開口部を有していて前記地板に取り付けられており前記地板との間に少なくとも一つの羽根室を構成しているカバー板と、前記羽根室外においてそれらによって前記開口部を囲むようにして前記地板に取り付けられており前記地板との間には各々永久磁石を有する回転子と夫々の先端部を該回転子の周面に対向させる磁極部とした二つの脚部を有するヨークと該脚部の一方に嵌装されていて周囲にコイルを巻回しているボビンとを配置している板状をした複数のカバー枠と、前記羽根室内に配置されており各々が少なくとも１枚からなっていて前記回転子の各々によって往復回転させられる複数種類の羽根と、を備えていて、前記複数のカバー枠は、各々が、長さ方向の一方の端部を、他のカバー枠の他方の端部に対し、前記地板とは反対側に重ね合わせ、一つの取付手段によって前記地板に取り付けられていることを特徴とするカメラ用羽根駆動装置。
【請求項２】
前記カバー枠の各々が、合成樹脂で前記ボビンと一体成形されていることを特徴とする請求項１に記載のカメラ用羽根駆動装置。
【請求項３】
前記カバー枠の各々は、他のカバー枠と重なる部位が、他の部位よりも薄く形成されていることを特徴とする請求項１又は２に記載のカメラ用羽根駆動装置。
【請求項４】
前記カバー枠の各々が、他のカバー枠と重なる部位で、前記取付手段によって、他のカバー枠とともに前記地板に取り付けられていることを特徴とする請求項１乃至３のいずれかに記載のカメラ用羽根駆動装置。
【請求項５】
前記ボビンは前記カバー枠の他方の端部に一体成形されていて、前記ヨークの一部が前記カバー枠から露出しており、前記カバー枠の各々は、長さ方向の一方の端部を、他のカバー枠から露出している前記ヨークの一部に対し、前記地板とは反対側に重ね合わせていることを特徴とする請求項２に記載のカメラ用羽根駆動装置。
【請求項６】
前記地板の羽根室側の面に、露光開口を規制するための被写体光路用の開口部を有した薄い板部材が取り付けられており、該板部材と前記カバー板との間に少なくとも一つの羽根室を構成していることを特徴とする請求項１乃至５のいずれかに記載のカメラ用羽根駆動装置。
【発明の詳細な説明】
【技術分野】
【０００１】
本発明は、各々が異なる少なくとも１枚の羽根を往復作動させるようにした複数の電磁アクチュエータを備えているカメラ用羽根駆動装置に関する。
【背景技術】
【０００２】
下記の特許文献１には、第１の電磁アクチュエータによってシャッタ羽根を往復作動させるようにしたシャッタ装置と、第２の電磁アクチュエータによって絞り羽根を往復作動させるようにした絞り装置とを一つにユニット化した羽根駆動装置が記載されている。また、他の特許文献を挙げるまでもなく、シャッタ装置とフィルタ装置とを一つにユニット化したり、絞り装置とフィルタ装置とを一つにユニット化したりするほか、シャッタ装置と、絞り装置と、フィルタ装置とを一つにユニット化することも知られている。更には、一方の電磁アクチュエータによって開き専用のシャッタ羽根を往復作動させ、他方の電磁アクチュエータによって閉じ専用のシャッタ羽根を往復作動させるようにした羽根駆動装置や、複数の電磁アクチュエータによって夫々異なる絞り羽根を往復作動させるようにした羽根駆動装置や、複数の電磁アクチュエータによって夫々異なるフィルタ羽根を往復作動させるようにした羽根駆動装置も知られている。
【０００３】
また、電磁アクチュエータとしては、種々の構成をしたものが知られていて、特許文献１においても２種類の電磁アクチュエータが記載されているが、それらのうちの一つは、羽根に連結させる出力ピンを一体的に形成した永久磁石製の回転子と、コイルを巻回したボビンを嵌装していて二つの磁極部を回転子の周面に対向させているＵ字形のヨークとを備えている。そして、従来は、それらの回転子とヨークを、下記の特許文献２に記載された電磁アクチュエータのように、地板とカバー枠（特許文献２においては、押え板）との間に配置しているのが普通であったが、最近では、そのような構成を発展させ、特許文献１に記載されている電磁アクチュエータのように、カバー枠（特許文献１においては、固定子枠）とボビンとを合成樹脂で一体成形するものが多くなってきた。本発明は、これらの種類の構成をした複数の電磁アクチュエータによって、上記した複数の種類の羽根を往復作動させるようにしたカメラ用羽根駆動装置に関するものである。
【０００４】
【特許文献１】特開２００５−２４１８６６号公報
【特許文献２】特開２００６−１０１６４９号公報
【発明の開示】
【発明が解決しようとする課題】
【０００５】
ところで、最近のカメラは、デジタルカメラの出現によって、ますます小型化されてきており、携帯電話やＰＤＡなどの携帯用情報端末機器等にも組み込まれるようになってきた。そのため、上記のような種類の複数の電磁アクチュエータを備えているカメラ用羽根駆動装置の場合にも、ますますの小型化，低コスト化が要求されている。ところが、特許文献１に記載されているうちの一つである上記した電磁アクチュエータの場合には、カバー枠（特許文献１においては、固定子枠）が所定の長さを有しているため、その長さ方向の両端２箇所において、いわゆる熱カシメによって取り付けられている。また、特許文献２に記載されている電磁アクチュエータの場合にも、カバー枠（特許文献２においては、押え板）が所定の長さを有しているため、その長さ方向の両端２箇所において、ねじによって取り付けられている。従って、いずれの場合にも、電磁アクチュエータを複数備えると、地板に対して、電磁アクチュエータの数の２倍の取付けスペースが必要になって小型化に不利であり、また、取付け手段も、電磁アクチュエータの数の２倍が必要であるからコスト上で不利であるという問題点がある。
【０００６】
本発明は、このような問題点を解決するためになされたものであり、その目的とするところは、複数の電磁アクチュエータの配置関係とカバー枠の組付け方法を工夫することによって取付け手段を少なくし、小型化と低コスト化を可能にしたカメラ用羽根駆動装置を提供することである。
【課題を解決するための手段】
【０００７】
上記の目的を達成するために、本発明のカメラ用羽根駆動装置は、被写体光路用の開口部を有している地板と、被写体光路用の開口部を有していて前記地板に取り付けられており前記地板との間に少なくとも一つの羽根室を構成しているカバー板と、前記羽根室外においてそれらによって前記開口部を囲むようにして前記地板に取り付けられており前記地板との間には各々永久磁石を有する回転子と夫々の先端部を該回転子の周面に対向させる磁極部とした二つの脚部を有するヨークと該脚部の一方に嵌装されていて周囲にコイルを巻回しているボビンとを配置している板状をした複数のカバー枠と、前記羽根室内に配置されており各々が少なくとも１枚からなっていて前記回転子の各々によって往復回転させられる複数種類の羽根と、を備えていて、前記複数のカバー枠は、各々が、長さ方向の一方の端部を、他のカバー枠の他方の端部に対し、前記地板とは反対側に重ね合わせ、一つの取付手段によって前記地板に取り付けられているようにする。
【０００８】
その場合、前記カバー枠の各々が、合成樹脂で前記ボビンと一体成形されているようにすると、部品点数や組立工数で有利になる。また、前記カバー枠の各々は、他のカバー枠と重なる部位が、他の部位よりも薄く形成されているようにすると、良好な組立状態が得られる。また、本発明のカメラ用羽根駆動装置は、前記カバー枠の各々が、他のカバー枠と重なる部位で、前記取付手段によって、他のカバー枠とともに前記地板に取り付けられているようにしても構わないし、前記ボビンは前記カバー枠の他方の端部に一体成形されていて、前記ヨークの一部が前記カバー枠から露出しており、前記カバー枠の各々は、長さ方向の一方の端部を、他のカバー枠から露出している前記ヨークの一部に対し、前記地板とは反対側に重ね合わせているようにしてもよい。更に、本発明のカメラ用羽根駆動装置は、前記地板の羽根室側の面に、露光開口を規制するための被写体光路用の開口部を有した薄い板部材が取り付けられており、該板部材と前記カバー板との間に少なくとも一つの羽根室を構成しているようにしてもよい。
【発明の効果】
【０００９】
本発明は、コイルを巻回したボビンを嵌装していて二つの磁極部を永久磁石製の回転子の周面に対向させたＵ字形のヨークを備えている複数の電磁アクチュエータが、それらの回転子の往復回転によって、異なる種類の羽根を個々に往復回転させるようにしたカメラ用羽根駆動装置において、各々の電磁アクチュエータのカバー枠を、その長さ方向の一方の端部で他の電磁アクチュエータを地板側に押し付けるようにして、一つの取付手段によって地板に取り付けるようにしたため、取付けスペースが小さくて済み、また、取付手段も電磁アクチュエータの数と同じでよくなり、装置の小型化と低コスト化に有利であるという効果を有する。
【発明を実施するための最良の形態】
【００１０】
本発明の実施の形態を、図示した二つの実施例によって説明する。本発明のカメラ用羽根駆動装置は、銀塩フィルムを使用するカメラに採用することもできるし、各種情報端末機器用カメラを含むデジタルカメラにも採用することができるものである。しかしながら、各実施例は、シャッタ装置と絞り装置とをユニット化した羽根駆動装置をデジタルカメラに採用した場合で説明することにし、その他のことについては、適宜説明することにする。尚、図１〜図３は、実施例１を説明するためのものであり、図４は、実施例２を説明するためのものである。
【実施例１】
【００１１】
本実施例は、一つの羽根室内に、第１電磁アクチュエータによって往復回転させられる１枚のシャッタ羽根と、露光開口よりも直径の小さい絞り開口部を有していて第２電磁アクチュエータによって往復回転させられる１枚の絞り羽根と、を備えたカメラ用羽根駆動装置として構成したものである。そして、図１は、その分解斜視図であり、図２は、被写体側（レンズ側）から見た平面図であり、図３は、固体撮像素子側から見た平面図である。
【００１２】
そこで先ず、本実施例の構成を説明する。本実施例の地板１は、合成樹脂製であって比較的厚い部材であり、平面形状は略正方形をしている。そして、その中央部には、被写体光路用の開口部１ａが形成されている。また、地板１の固体撮像素子側の面には、後述する手段によって薄い板部材である口径規制板２が取付けられている。そして、この口径規制板２にも、その中央部に、上記の開口部１ａよりも小さな被写体光路用の開口部２ａが形成されている。更に、地板１の固体撮像素子側の面には、後述する手段によって薄い板部材であるカバー板３が、口径規制板２との間に所定の間隔を空けて取り付けられている。そして、このカバー板３にも、その中央部に、口径規制板２の開口部２ａよりも大きな被写体光路用の開口部３ａが形成されている。そのため、本実施例の場合には、口径規制板２とカバー板３の間に一つの羽根室が構成され、口径規制板２の開口部２ａが露光開口を規制するようになっている。
【００１３】
図３に示されているように、地板１の固体撮像素子側の面、即ち羽根室側の面には、二つの羽根取付軸１ｂ，１ｃと、四つの口径規制板取付軸１ｄ，１ｅ，１ｆ，１ｇと、四つのカバー板取付軸１ｈ，１ｉ，１ｊ，１ｋと、二つの位置決めピン１ｍ，１ｎとが立設されている。また、図１に示されているように、口径規制板２は、上記の開口部２ａのほかに、六つの孔２ｂ，２ｃ，２ｄ，２ｅ，２ｆ，２ｇと二つの円弧状の長孔２ｈ，２ｉを有している。また、カバー板３は、上記の開口部３ａのほかに、八つの孔３ｂ，３ｃ，３ｄ，３ｅ，３ｆ，３ｇ，３ｈ，３ｉと二つの円弧状の長孔３ｊ，３ｋを有している。更に、口径規制板２とカバー板３との間の羽根室には、１枚の絞り羽根４と１枚のシャッタ羽根５が配置されている。そして、それらのうち、口径規制板２側に配置されている絞り羽根４は、上記の開口部２ａよりも直径の小さな開口部４ａと、孔４ｂと、長孔４ｃとを有している。また、カバー板３側に配置されているシャッタ羽根５は、孔５ａと長孔５ｂを有している。
【００１４】
そこで次に、地板１に対する、それらの口径規制板２，カバー板３，絞り羽根４，シャッタ羽根５の取付け構成を説明する。先ず、口径規制板２は、その孔２ｂ，２ｃを地板１の羽根取付軸１ｂ，１ｃに嵌合させ、孔２ｄ，２ｅ，２ｆ，２ｇを地板１の口径規制板取付軸１ｄ，１ｅ，１ｆ，１ｇに嵌合させた後、口径規制板取付軸１ｄ，１ｅ，１ｆ，１ｇの先端を熱溶解させフランジ状に変形させることによって取り付けられている。次に、絞り羽根４の孔４ｂを地板１の羽根取付軸１ｃに回転可能に嵌合させ、続いてシャッタ羽根５の孔５ａを地板１の羽根取付軸１ｂに回転可能に嵌合させられている。そして最後に、カバー板３は、その孔３ｂ，３ｃを地板１の羽根取付軸１ｂ，１ｃに嵌合させ、孔３ｄ，３ｅ，３ｆ，３ｇを地板１のカバー板取付軸１ｈ，１ｉ，１ｊ，１ｋに嵌合させ、孔３ｈ，３ｉを位置決めピン１ｍ，１ｎに嵌合させた後、カバー板取付軸１ｈ，１ｉ，１ｊ，１ｋの先端を熱溶解させフランジ状に変形させることによって取り付けられている。
【００１５】
尚、地板１の固体撮像素子側の面には、このほかにも、絞り羽根４とシャッタ羽根５のストッパが設けられていて、羽根室内に望ませているが、図３においては、それらの図示が省略されている。また、本実施例の場合には、絞り羽根４とシャッタ羽根５を一つの羽根室に配置しているが、周知のように、口径規制板２とカバー板３との間を中間板で仕切ることによって二つの羽根室を構成し、それらの羽根室に別々に配置するようにしても構わない。また、本実施例の場合には、口径規制板２とカバー板３の間に羽根室を構成しているが、口径規制板２を設けることなく、地板１とカバー板３の間に羽根室を構成しても構わない。そして、そのようにした場合には、開口部１ａと開口部３ａの一方が露光開口を規制するようになる。
【００１６】
図１から分かるように、地板１の被写体側の面は、非常に複雑な形状をしていて、そこに、二つの回転子取付軸１ｐ，１ｑと、四つの位置決めピン１ｒ，１ｓ，１ｔ，１ｕが立設されているほか、二つのねじ穴１ｖ，１ｗが形成されている。また、この地板１には、上記の開口部１ａのほか、上記の円弧状の長孔２ｉ，３ｋと重なるところに、それらと同じ形状をした長孔１ｘ（図２参照）が形成され、上記の円弧状の長孔２ｈ，３ｊと重なるところに、それらと同じ形状をした長孔１ｙ（図２参照）が形成されている。このほかにも、地板１の被写体側の面には、種々の形状の窪みが形成されているが、それらの殆どは、以下に説明する二つの電磁アクチュエータの構成部材を好適に収容できる形状になっている。
【００１７】
本実施例においては、地板１に、上記した絞り羽根４を駆動するための電磁アクチュエータと、シャッタ羽根５を駆動するための電磁アクチュエータとが取付けられているが、それらは全く同じ構成をしていて、対称的に配置されている。先ず、上記の回転子取付軸１ｐ，１ｑには、回転子６，７が回転可能に取り付けられている。本実施例の回転子６，７は、径方向に２極に着磁された永久磁石製の本体部６ａ，７ａと、合成樹脂製の腕部６ｂ，７ｂと、それらの先端に設けられた合成樹脂製の出力ピン６ｃ，７ｃとで構成されている。そして、それらの出力ピン６ｃ，７ｃは、地板１の長孔１ｘ，１ｙと口径規制板２の長孔２ｉ，２ｈを貫通して、羽根室内で絞り羽根４とシャッタ羽根５の長孔４ｃ，５ｂに嵌合し、それらの先端を、カバー板３の長孔３ｋ，３ｊに挿入している。尚、本実施例の場合には、出力ピン６ｃ，７ｃの先端に曲げ部が形成されているが、それらは、周知のように、作動中に、各羽根４，５が抜けにくくするためのものである。また、本実施例の場合には、回転子６，７は、腕部６ｂ，７ｂと出力ピン６ｃ，７ｃが合成樹脂製であるが、本体部６ａ，７ａと共に永久磁石製にしても構わない。
【００１８】
本実施例におけるカバー枠８，９は、合成樹脂製であって、図１から分かるように、板状部８ａ，９ａとボビン部８ｂ，９ｂとでＬ字形に形成されている。そして、それらの板状部８ａ，９ａには、比較的大きな孔８ｃ，９ｃと、それらの両側に二つずつの孔８ｄ，８ｅ，９ｄ，９ｅが形成されており、中空部を有する筒状のボビン部８ｂ，９ｂには、コイル１０，１１が巻回されている。また、二つの脚部を有していてそれらの先端を磁極部としている略Ｕ字形のヨーク１２，１３は、孔１２ａ，１３ａを有している。
【００１９】
そこで次に、固定子を構成しているそれらの部材の取付け構成を説明する。先ず、カバー枠８，９のボビン部８ｂ，９ｂの中空部に、ヨーク１２，１３の一方の脚部を挿入し、貫通させておく。そのため、その状態においては、ヨーク１２，１３は、その先端の磁極部が板状部８ａ，９ａと重なっており、孔１２ａ，１３ａを形成している部位がボビン部８ｂ，９ｂから突き出ている。次に、カバー枠８の孔８ｄとヨーク１３の孔１３ａとを、孔１３ａが地板１側となるように重ね、カバー枠９の孔９ｄとヨーク１２の孔１２ａとを、孔１２ａが地板１側となるように重ねておく。そして、孔１３ａと孔８ｄとを地板１の位置決めピン１ｒに嵌合させ、孔１２ａと孔９ｄとを地板１の位置決めピン１ｔに嵌合させると共に、カバー枠８，９の孔８ｅ，９ｅを地板１の位置決めピン１ｕ，１ｓに嵌合させる。そして、最後に、ねじ１４，１５を、カバー枠８，９の孔８ｃ，９ｃに挿入し、地板１のねじ穴１ｗ，１ｖにねじ込んで、カバー枠８，９を地板１に固定する。
【００２０】
このようにして、二つの電磁アクチュエータは、地板１に取り付けられているが、図２からも分かるように、このときには、カバー枠８は、他方のカバー枠９のボビン部９ｂから露出しているヨーク１３の一部を、板状部８ａによって地板１側に押さえ込み、反対に、カバー枠８のボビン部８ｂから露出しているヨーク１２の一部を、他方のカバー枠９の板状部９ａによって地板１側に押さえ込まれている。そのため、本実施例の場合には、所定の長さを有している二つのカバー枠８，９を地板１に取り付けているにもかかわらず、従来のように二つずつの固定手段を必要とせず、二つのねじ１４，１５だけによって好適に取り付けられている。尚、本実施例の場合には、固定手段としてねじ１４，１５を用いているが、口径規制板２やカバー板３と同じように、いわゆる熱カシメの技術によって取り付けるようにしても構わない。このことは、実施例２の場合も同じである。
【００２１】
次に、本実施例の作動を、撮影待機状態を示している図２及び図３を用いて簡単に説明する。この状態においては、カメラの電源スイッチがオンになっているが、コイル１０，１１には通電されていない。しかしながら、周知のように、このときには、回転子６，７の本体部６ａ，７ａの磁極と、その周面に対向して配置されているヨーク１２，１３の磁極部との間に、本体部６ａ，７ａの磁力が作用していて、回転子６，７は、いずれも、図２において反時計方向へ回転するように付勢されている。そのため、絞り羽根４とシャッタ羽根５は、図３において時計方向へ回転するように付勢されているが、図示していないストッパによってその回転を阻止され、開口部２ａ（露光開口）の全開状態が維持されている。そのため、図示していない固体撮像素子には被写体光が当たっており、撮影者は、モニターによって被写体像を観察することが可能になっている。
【００２２】
撮影に際してレリーズボタンが押されると、その初期段階において、先ず、測光回路によって被写体光を測定し、その結果によって、被写体光を減光して撮影すると判断された場合には、最初に絞り羽根４を開口部２ａに進入させておいてから実際の撮影が開始される。しかしながら、先ずは、被写体光を減光しないで撮影すると判断された場合を説明する。その場合には、直ちに、固体撮像素子に蓄積されていた電荷が放出されて、撮影が開始され、新たな電荷が固体撮像素子に蓄積されていく。そして、所定の時間が経過すると、露光時間制御回路からの信号によって、コイル１１に順方向の電流が供給され、回転子７が、図２において時計方向へ回転させられる。それによって、シャッタ羽根５は、図３において、反時計方向へ回転させられ、開口部２ａを閉鎖した後、図示していないストッパに当接して停止する。
【００２３】
その後、固体撮像素子に蓄積された電荷が、撮像情報として記憶装置に転送されるが、それが終わると、コイル１１に対して逆方向の電流が供給される。そのため、回転子７は逆回転させられ、その出力ピン７ｃによって、シャッタ羽根５に開口部２ａの開き作動を行わせる。そして、シャッタ羽根５は、開口部２ａを全開にした直後に、図示していないストッパに当接して停止する。その後、コイル１１への通電を断つと、最初の撮影待機状態に復帰したことになる。
【００２４】
次に、撮影に際してレリーズボタンを押したとき、測光回路の測定結果によって、被写体光を減光して撮影すると判断された場合について説明する。その場合には、最初に、コイル１０に対して順方向の電流が供給される。それによって、回転子６は、図２において、時計方向へ回転させられる。そのため、絞り羽根４は、出力ピン６ｃによって、図３において反時計方向へ回転させられて、開口部２ａに進入してゆき、その開口部４ａの中心が、開口部２ａの中心位置までくると、図示していないストッパに当接して停止させられる。
【００２５】
その状態になると、既に説明したようにして、実際の撮影が行われるが、シャッタ羽根５が閉じ作動を終了すると、コイル１０に対しても逆方向の電流が供給されるので、回転子６は上記とは逆方向へ回転させられ、その出力ピン６ｃによって、絞り羽根４を開口部２ａから退避させる。そして、絞り羽根４は、開口部２ａから完全に退くと、図示していないストッパに当接して停止させられる。その後、二つのコイル１０，１１への通電を断つと、図２及び図３に示した撮影待機状態に復帰したことになる。
【００２６】
尚、本実施例の場合は、シャッタ羽根が１枚であるが、周知のように、出力ピン７ｃによって２枚のシャッタ羽根を、相反する方向へ同時に往復作動させられるようにしてもよい。また、本実施例は、シャッタ装置と絞り装置とをユニット化した羽根駆動装置であるが、絞り羽根４に、開口部４ａを覆うようにしてＮＤフィルタシートを取り付ければフィルタ羽根とすることができ、シャッタ装置とフィルタ装置とをユニット化した羽根駆動装置になる。また、本実施例のシャッタ羽根５を、開口部２ａより小さくて開口部４ａとは異なる大きさの開口部を形成して絞り羽根にすれば、二つの絞り装置をユニット化した羽根駆動装置になるし、さらに、それらの絞り羽根にＮＤフィルタシートを取り付ければ、二つのフィルタ装置をユニット化した羽根駆動装置になる。そのため、それらのようにした羽根駆動装置も本発明のカメラ用羽根駆動装置である。
【００２７】
また、本実施例は、二つの電磁アクチュエータを、露光開口（開口部２ａ）を囲むようにして、地板に対して好適に取り付けた構成をしているが、隣接するカバー枠同士を本実施例のような相対位置関係にすることによって、三つ以上の電磁アクチュエータを、露光開口を囲むようにして取り付けることも可能である。従って、例えば、シャッタ装置と、絞り装置と、フィルタ装置とを、一つのユニットに構成したものも本発明に含まれる。更に、本実施例は、デジタルカメラに採用された場合で説明したが、撮影待機状態では、シャッタ羽根５が開口部２ａを閉じた状態にしておき、撮影に際しては、開口部２ａの開き作動を行わせ、続いて閉じ作動を行わせるようにすれば、銀塩フィルムを使用するカメラにも採用できることは言うまでもない。
【実施例２】
【００２８】
図４を用いて実施例２を説明する。本実施例は、上記の実施例１におけるカバー枠８，９の形状が異なるだけである。そのため、実施例１と同じ構成部材，部位には同じ符号を付けてある。また、図３は、そのまま、本実施例にも適用される。従って、本実施例の構成については、実施例１と異なる点についてだけ説明する。また、本実施例の作動は、実施例１の場合と全く同じであるため、重複を避けるために説明を省略する。
【００２９】
本実施例のカバー枠８，９は、実施例１と同じように、板状部８ａ，９ａとボビン部８ｂ，９ｂとで、平面形状がＬ字形をしているが、ボビン部８ｂ，９ｂを間にして、もう一つの板状部８ｆ，９ｆが形成されている点で、実施例１のカバー枠とは形状が異なっている。そして、それらの板状部８ｆ，９ｆには、孔８ｇ，９ｇが形成されており、地板１に取り付けるときは、それらの孔８ｇ，９ｇとヨーク１２，１３の孔１２ａ，１３ａとの位置合わせをしておいて、位置決めピン１ｔ，１ｒに嵌合させるようにする。地板１に対するその他の組付け方は、実施例１の場合と全く同じである。
【００３０】
尚、上記の本実施例１の場合には、板状部８ａ，９ａの先端部がヨーク１２，１３の一部に重なるだけであって、そのヨーク１２，１３は、地板１に形成されている窪みの中に納まっていた。ところが、本実施例の場合には、板状部８ａ，９ａの先端部が板状部９ｆ，８ｆとも重なるようになっている。そのため、カバー枠８，９を、ねじ１４，１５で地板１に固定するとき、板状部８ａ，９ａの先端部は反ることになる。板状部８ａ，８ｆ，９ａ，９ｆが薄ければ、そのような反りが生じても、問題ない場合がある。しかしながら、そのような反りが生じては困る場合には、地板１に、板状部８ｆ，９ｆを収めるための窪みを形成すればよいことになる。また、板状部８ａ，９ａと板状部９ｆ，８ｆとが重なる領域の板厚を薄くし、他の領域の板厚の約半分にしてもよいことになる。
【００３１】
更に、本実施例では、板状部８ａ，９ａと板状部９ｆ，８ｆが、ヨーク１３，１２の一部とも重なるところで重ねられている。しかしながら、本発明は、そのような構成に限定されず、ヨーク１２，１３とは重ならないところで重ねられるようにしてもよい。そのため、例えば、本実施例の板状部８ａ，９ａの長さを短くし、その分、板状部９ｆ，８ｆを長くすることによって、カバー枠８，９の全体形状をコ字状にしてもよいし、さらに、そのようにした場合には、板状部８ａ，９ａと板状部９ｆ，８ｆとの重なり部位の板厚を、上記のように半分にし、それらの重なり部位を、ねじ１４，１５で固定するようにしてもよいことになる。
【００３２】
また、本実施例のカバー枠８，９は、板状部８ａ，９ａと板状部８ｆ，９ｆの間にボビン部８ｂ，９ｂを一体成形で形成しているが、本発明は、そのように、ボビン部８ｂ，９ｂをカバー枠８，９と一体成形することに限定されず、特許文献２に記載されているように、別部材としても構わない。従って、そのようにした場合には、予めヨーク１２，１３を地板１に組み付けたあとに、カバー枠８，９を組み付けることになる。更に、本実施例の場合も、実施例１の場合と同様に、地板１が方形をしているが、本発明は、地板が方形していることに限定されない。そのため、カバー枠８，９も、Ｌ字形やコ字形である必要はなく、円弧状であってもよい。特に、電磁アクチュエータを三つ取り付けるなどのときには、円弧状が好ましい。
【図面の簡単な説明】
【００３３】
【図１】実施例１の分解斜視図である。
【図２】被写体側から見た実施例１の平面図である。
【図３】固体撮像素子側から見た実施例１の平面図である。
【図４】図２と同様にして示した実施例２の平面図である。
【符号の説明】
【００３４】
１                            地板
１ａ，２ａ，４ａ              開口部
１ｂ，１ｃ                    羽根取付軸
１ｄ〜１ｇ                    口径規制板取付軸
１ｈ〜１ｋ                    カバー板取付軸
１ｍ，１ｎ，１ｒ〜１ｕ        位置決めピン
１ｐ，１ｑ                    回転子取付軸
１ｖ，１ｗ                    ねじ穴
１ｘ，１ｙ，２ｈ，２ｉ，３ｊ，３ｋ，４ｃ，５ｂ    長孔
２                            口径規制板
２ｂ〜２ｇ，３ｂ〜３ｉ，４ｂ，５ａ，８ｃ〜８ｅ，８ｇ，９ｃ〜９ｅ，９ｇ，１２ａ，１３ａ    孔
３                            カバー板
４                            絞り羽根
５                            シャッタ羽根
６，７                        回転子
６ａ，７ａ                    本体部
６ｂ，７ｂ                    腕部
６ｃ，７ｃ                    出力ピン
８，９                        カバー枠
８ａ，８ｆ，９ａ，９ｆ        板状部
８ｂ，９ｂ                    ボビン部
１０，１１                    コイル
１２，１３                    ヨーク
１４，１５                    ねじ
【図１】
2008257067.tif 000003
【図２】
2008257067.tif 000004
【図３】
2008257067.tif 000005
【図４】
2008257067.tif 000006